(57)【要約】  本発明はカッターヘッド（１０４）とカップ本体（１０２）を含む食物調理器を提供し、カッターヘッド（１０４）にはカッター（１０６）が設けられ、カッターヘッド（１０４）のサイドウォールとカッターヘッド（１０４）の横断面との交線をカッターヘッドの輪郭線とし、カッターヘッドの輪郭線の最大内接円、又は最小外接円をカッターヘッドのベース円としたとき、カッターヘッドの中心軸線がカッターヘッドのベース円の円心を通り、カップ本体（１０２）は、カッターヘッド（１０４）の上方に設けられ、カップ本体（１０２）のカップ壁とカップ壁の横断面との交線をカップ本体の輪郭線（１１０）とし、カップ本体の輪郭線（１１０）の最大内接円、又は最小外接円をカップ本体ベース円（１０８）としたとき、カップ本体の中心軸線がカップ本体ベース円（１０８）の円心を通り、カップ本体の同一輪郭線における異なる点から、前記カップ本体のベース円の円心までの距離が同じであり、カッターヘッドの同一輪郭線における異なる点から、前記カッターヘッドのベース円の円心までの距離が異なる。
2019528932.tif 000002
【特許請求の範囲】
【請求項１】
カッターヘッドとカップ本体を含み、
前記カッターヘッドにはカッターが設けられ、前記カッターヘッドのサイドウォールと前記カッターヘッドの横断面との交線をカッターヘッドの輪郭線とし、前記カッターヘッドの輪郭線の最大内接円、又は最小外接円をカッターヘッドのベース円としたとき、カッターヘッドの中心軸線が前記カッターヘッドのベース円の円心を通り、
前記カップ本体は、前記カッターヘッドの上方に位置し、前記カッターヘッド上に設けられ、前記カップ本体のカップ壁と前記カップ壁の横断面との交線をカップ本体の輪郭線とし、前記カップ本体の輪郭線の最大内接円、又は最小外接円をカップ本体のベース円としたとき、カップ本体の中心軸線が前記カップ本体のベース円の円心を通り、
カップ本体の同一輪郭線における異なる点から、前記カップ本体のベース円の円心までの距離が同じであり、
カッターヘッドの同一輪郭線における異なる点から、前記カッターヘッドのベース円の円心までの距離が異なる
ことを特徴とする食物調理器。
【請求項２】
前記カッターヘッドの中心軸線と前記カップ本体の中心軸線とは、重なっていることを特徴とする請求項１に記載の食物調理器。
【請求項３】
前記カッターヘッドの中心軸線と前記カッターの軸線とは、前記カップ本体の中心軸線と重なっていることを特徴とする請求項２に記載の食物調理器。
【請求項４】
前記カッターヘッドの中心軸線は、前記カップ本体の中心軸線と重なっており、前記カッターの軸線との間に、偏心距離Ｌ１があることを特徴とする請求項２に記載の食物調理器。
【請求項５】
前記カッターヘッドの中心軸線と前記カップ本体の中心軸線とは重なっていないことを特徴とする請求項１に記載の食物調理器。
【請求項６】
前記カッターヘッドの中心軸線は、前記カッターの軸線と重なっており、前記カップ本体の中心軸線との間に、偏心距離Ｌ２があることを特徴とする請求項５に記載の食物調理器。
【請求項７】
前記カップ本体の中心軸線は、前記カッターの軸線と重なっており、前記カッターヘッドの中心軸線との間に、偏心距離Ｌ３があることを特徴とする請求項５に記載の食物調理器。
【請求項８】
前記カップ本体の中心軸線と、前記カッターヘッドの中心軸線との間に、偏心距離Ｌ４があり、
前記カッターヘッドの中心軸線と、前記カッターの軸線との間に、偏心距離Ｌ５があり、
前記カップ本体の中心軸線と、前記カッターの軸線との間に、偏心距離Ｌ６があることを特徴とする請求項５に記載の食物調理器。
【請求項９】
輪郭線における異なる点からベース円の円心までの距離から、ベース円半径をマイナスした絶対値である輪郭偏心距離を更に含み、
前記カッターヘッドの輪郭偏心距離はＬ７であることを特徴とする請求項１に記載の食物調理器。
【請求項１０】
前記偏心距離Ｌ１のとる値の範囲は、０ｍｍ≦Ｌ１≦５０ｍｍであることを特徴とする請求項４に記載の食物調理器。
【請求項１１】
前記偏心距離Ｌ２のとる値の範囲は、０ｍｍ≦Ｌ２≦５０ｍｍであることを特徴とする請求項６に記載の食物調理器。
【請求項１２】
前記偏心距離Ｌ３のとる値の範囲は、０ｍｍ≦Ｌ３≦５０ｍｍであることを特徴とする請求項７に記載の食物調理器。
【請求項１３】
前記偏心距離Ｌ４、前記偏心距離Ｌ５及び前記偏心距離Ｌ６のとる値の範囲は、それぞれ、０ｍｍ≦Ｌ４≦５０ｍｍ、０ｍｍ≦Ｌ５≦５０ｍｍ、０ｍｍ≦Ｌ６≦５０ｍｍであることを特徴とする請求項８に記載の食物調理器。
【請求項１４】
前記カッターヘッドの輪郭偏心距離Ｌ７のとる値の範囲は、０ｍｍ≦Ｌ７≦１００ｍｍであることを特徴とする請求項９に記載の食物調理器。
【請求項１５】
前記カッターヘッドと前記カップ本体とは、一体構造又は別体構造であることを特徴とする請求項１乃至１４のいずれか一項に記載の食物調理器。
【請求項１６】
前記カップ壁は、前記カップ本体の外壁と前記カップ本体の内壁とを含み、
前記カップ本体の前記輪郭線は、前記カップ本体の外壁と前記カップ本体の外壁横断面との交線であり、又は前記カップ本体の前記輪郭線は、前記カップ本体の内壁と前記カップ本体の内壁横断面との交線であることを特徴とする請求項１乃至１４のいずれか一項に記載の食物調理器。
【請求項１７】
前記カッターは、少なくとも２セットのナイフブレードを含み、各セットのナイフブレードは、少なくとも２枚のブレードを含み、
１セットの前記ナイフブレードのブレードが下向きに傾いて延伸し、１セットの前記ナイフブレードのブレードが上向きに傾いて延伸し、又は、
１セットの前記ナイフブレードのブレードが水平に延伸し、１セットの前記ナイフブレードのブレードが上向き又は下向きに傾いて延伸することを特徴とする請求項１乃至１４のいずれか一項に記載の食物調理器。
【請求項１８】
前記カッターは２セットのナイフブレードであり、それぞれは、第１のナイフブレードと第２のナイフブレードであり、各セットの前記ナイフブレードは２枚のブレードからなり、
前記第１のナイフブレードのブレードは、傾斜部と水平部とを含み、前記傾斜部が前記カッターヘッドの中心軸線に接近し、前記水平部が前記カッターヘッドの中心軸線から離れ、
前記第１のナイフブレードのブレードが下向きに傾いて延伸し、且つ前記第２のナイフブレードの下方に設けられ、前記第２のナイフブレードのブレードが上向きに傾いて延伸することを特徴とする請求項１７に記載の食物調理器。
【請求項１９】
前記第１のナイフブレードと前記第２のナイフブレードとは、一体構造であることを特徴とする請求項１８に記載の食物調理器。
【請求項２０】
前記カップ本体内には、スポイラーリブが設けられ、前記カップ本体には、カップ蓋が設けられ、前記カップ蓋には、投入口が設けられ、前記投入口には、投入口カバーが設けられていることを特徴とする請求項１乃至１４のいずれか一項に記載の食物調理器。
【請求項２１】
前記カップ本体が設置されるカップ台を更に含み、
前記カップ本体と前記カップ台とは、螺合接続されるか、又は係着されることを特徴とする請求項１乃至１４のいずれか一項に記載の食物調理器。
【請求項２２】
前記カッターヘッドと前記カップ本体との間にリングシールが設けられ、前記カップ本体と前記カップ台を螺合接続することにより、前記カッターヘッドを前記カップ本体の底部に押し付けて固定することを特徴とする請求項２１に記載の食物調理器。
【請求項２３】
カッターヘッドとカップ本体を含み、
前記カッターヘッドにはカッターが設けられ、前記カッターヘッドのサイドウォールと前記カッターヘッドの断面との交線をカッターヘッドの輪郭線とし、前記カッターヘッドの輪郭線の最大内接円、又は最小外接円をカッターヘッドのベース円としたとき、カッターヘッドの中心軸線が前記カッターヘッドのベース円の円心を通り、
前記カップ本体は、前記カッターヘッドの上方に位置し、前記カッターヘッド上に設けられ、前記カップ本体のカップ壁と前記カップ壁の断面との交線をカップ本体の輪郭線とし、前記カップ本体の輪郭線の最大内接円、又は最小外接円をカップ本体のベース円としたとき、カップ本体の中心軸線が前記カップ本体のベース円の円心を通り、
前記カッターヘッドの中心軸線と前記カップ本体の中心軸線とが重なっているか、又は重なっていないことを特徴とする食物調理器。
【請求項２４】
前記カッターヘッドの中心軸線は、前記カップ本体の中心軸線と重なっており、前記カッターの軸線との間に、偏心距離Ｌ１があることを特徴とする請求項２３に記載の食物調理器。
【請求項２５】
前記カッターヘッドの中心軸線は、前記カッターの軸線と重なっており、前記カップ本体の中心軸線との間に、偏心距離Ｌ２があることを特徴とする請求項２３に記載の食物調理器。
【請求項２６】
前記カップ本体の中心軸線は、前記カッターの軸線と重なっており、前記カッターヘッドの中心軸線との間に、偏心距離Ｌ３があることを特徴とする請求項２３に記載の食物調理器。
【請求項２７】
前記カップ本体の中心軸線と前記カッターヘッドの中心軸線との間に、偏心距離Ｌ４があり、
前記カッターヘッドの中心軸線と前記カッターの軸線との間に、偏心距離Ｌ５があり、
前記カップ本体の中心軸線と前記カッターの軸線との間に、偏心距離Ｌ６があることを特徴とする請求項２３に記載の食物調理器。
【請求項２８】
前記偏心距離Ｌ１のとる値の範囲は０ｍｍ≦Ｌ１≦５０ｍｍであることを特徴とする請求項２４に記載の食物調理器。
【請求項２９】
前記偏心距離Ｌ２のとる値の範囲は、０ｍｍ≦Ｌ２≦５０ｍｍであることを特徴とする請求項２５に記載の食物調理器。
【請求項３０】
前記偏心距離Ｌ３のとる値の範囲は０ｍｍ≦Ｌ３≦５０ｍｍであることを特徴とする請求項２６に記載の食物調理器。
【請求項３１】
前記偏心距離Ｌ４、前記偏心距離Ｌ５及び前記偏心距離Ｌ６のとる値の範囲は、それぞれ、０ｍｍ≦Ｌ４≦５０ｍｍ、０ｍｍ≦Ｌ５≦５０ｍｍ、０ｍｍ≦Ｌ６≦５０ｍｍであることを特徴とする請求項２７に記載の食物調理器。
【請求項３２】
カップ本体の同一輪郭線における異なる点から、前記カップ本体のベース円の円心までの距離が同じであり、
カッターヘッドの同一輪郭線における異なる点から、前記カッターヘッドのベース円の円心までの距離が同じであることを特徴とする請求項２３乃至３１のいずれか一項に記載の食物調理器。
【請求項３３】
輪郭線における異なる点からベース円の円心までの距離から、ベース円半径をマイナスした絶対値である輪郭偏心距離を更に含み、
前記カッターヘッドの輪郭偏心距離はＬ７であることを特徴とする請求項２３乃至３１のいずれか一項に記載の食物調理器。
【請求項３４】
前記カッターヘッドの輪郭偏心距離Ｌ７のとる値の範囲は、０ｍｍ≦Ｌ７≦１００ｍｍであることを特徴とする請求項３３に記載の食物調理器。
【請求項３５】
前記カッターヘッドの横断面は凸円形であることを特徴とする請求項３３に記載の食物調理器。
【請求項３６】
前記カッターヘッドと前記カップ本体とは一体構造、又は別体構造であることを特徴とする請求項２３乃至３１のいずれか一項に記載の食物調理器。
【発明の詳細な説明】
【技術分野】
【０００１】
本発明は、生活用電器分野に関し、特に、食物調理器に関する。
【背景技術】
【０００２】
従来のミキシングシステムは、通常規則的であり、カッタープレートの中心軸線、カッターの中心軸線、及びカップ本体の中心軸線が共通し、カッターヘッド輪郭とカップ本体輪郭の形状が規則的であり、スポイラー（攪拌）効果が良くなく、混ぜ合わせ性能が悪い。
【発明の概要】
【発明が解決しようとする課題】
【０００３】
本発明は、少なくとも上記課題の一つを解決することをその目的とする。
【課題を解決するための手段】
【０００４】
そこで、本発明の第１の態様は、食物調理器を提供する。
本発明の第２の態様はさらに、食物調理器を提供する。
【０００５】
これに鑑み、本発明の第１の態様の実施例によると、カッターヘッドとカップ本体を含み、カッターヘッドにはカッターが設けられ、カッターヘッドのサイドウォールとカッターヘッドの横断面との交線をカッターヘッドの輪郭線とし、カッターヘッドの輪郭線の最大内接円、又は最小外接円をカッターヘッドのベース円としたとき、カッターヘッドの中心軸線がカッターヘッドのベース円の円心を通り、カップ本体はカッターヘッドの上方に位置し、カッターヘッド上に設けられ、カップ本体のカップ壁と前記カップ壁の横断面との交線をカップ本体の輪郭線とし、カップ本体の輪郭線の最大内接円、又は最小外接円をカップ本体のベース円としたとき、カップ本体の中心軸線がカップ本体のベース円の円心を通り、カップ本体の同一輪郭線における異なる点から、カップ本体のベース円の円心までの距離が同じであり、カッターヘッドの同一輪郭線における異なる点から、前記カッターヘッドのベース円の円心までの距離が異なることを特徴とする食物調理器を提供する。
【０００６】
本発明で提供する食物調理器は、カップ本体が偏心しない構造、カッターヘッド輪郭が偏心する構造を採用した食物調理器である。このような偏心構造を採用した食物調理器によって、食物の攪拌を行うことで、攪拌のスワール（旋回流）効果が改善でき、カッターが食物を粉砕することに有利であり、さらに攪拌性能を向上させ、食物の食感が良く、ユーザー体験を向上させる。更に、食物をより十分に粉砕するために、カップ本体の中心軸線、カッターヘッド軸の中心の軸線及びカッターの軸線の相対的な位置を調整することによって、攪拌のスポイラー効果を更に改善して、食物の食感を改善する。更に、食物調理器のカップ本体には、上部開口と下部開口を有し、且つ前記カップ本体の横断面積は、上から下に向かって小さくなり、即ち、カップ本体の全体が一定のテーパを有し、下端の横断面積より、上端の横断面積が大きく、一方では、カッターが食物を破砕することに有利であり、他方では、一定のテーパを有するカップ本体は、スポイラーに有利であり、食物のスポイラー効果と破砕効果とを更に改善し、食物食感を向上させる。
【０００７】
また、本発明で提供する上記実施例の食物調理器は、さらに以下の付加的な技術的特徴を有する。
【０００８】
上記技術案において、カッターヘッドの中心軸線とカップ本体の中心軸線とは、重なっていることが好ましい。
【０００９】
該技術案において、カッターヘッドとカップ本体の中心線が重なっており、カップ本体輪郭が偏心しなく、カッターヘッド輪郭が偏心している。食物調理器はカッターヘッド輪郭が偏心する技術を採用して、食物攪拌を行うことで、攪拌のスワール効果を改善し、食物の流れの速度を異ならせ、カッターが食物を粉砕することに有利であり、さらに攪拌性能を向上させ、食物の食感が良く、ユーザー体験を向上させる。
【００１０】
上記技術案において、カッターヘッドの中心軸線とカッターの軸線とは、カップ本体の中心軸線と重なっていることが好ましい。
【００１１】
該技術案において、カッターヘッドの中心軸線とカッターの軸線が、カップ本体の中心軸線と重なっている。即ちカップ本体、カッターヘッド及びカッターは、同一の中心軸線であり、カップ本体輪郭が偏心しなく、カッターヘッド輪郭が偏心している。このような偏心構造を採用した食物調理器によって、食物攪拌を行うことで、攪拌のスワール効果が改善でき、カッターが食物を粉砕するのに有利であり、さらに攪拌性能を向上させ、食物の食感が良く、ユーザー体験を向上させる。同時に、カップ本体、カッターヘッド及びカッターは同一の中心軸線であるため、各部品の組合せに便利であり、生産効率を上げる。
【００１２】
上記技術案において、カッターヘッドの中心軸線は、カップ本体の中心軸線と重なっており、カッターの軸線との間に、偏心距離Ｌ１があることが好ましい。
【００１３】
該技術案において、カッターヘッドの中心軸線は、カップ本体の中心軸線と重なっており、カッターの軸線との間に、偏心距離Ｌ１を有し、即ちカッターが偏心した。カッターヘッド輪郭が偏心し、カッターが偏心する構造を採用することによって、攪拌のスワール効果を改善し、カッターが食物を粉砕するに有利であり、さらに攪拌性能を向上させ、食物の食感が良く、ユーザー体験を向上させる。
【００１４】
上記技術案において、カッターヘッドの中心軸線とカップ本体の中心軸線とは重なっていないことが好ましい。
【００１５】
該技術案において、カッターヘッドの中心軸線と、カップ本体の中心軸線とは重なっておらず、即ち軸線が相対的に偏心し、同時にカップ本体輪郭が偏心しなく、カッターヘッド輪郭が偏心している。この偏心技術を採用した食物調理器で食物攪拌を行うことで、攪拌のスワール効果が改善でき、カッターが食物を粉砕するに有利であり、さらに攪拌性能を向上させて、食物の食感が良く、ユーザー体験を向上させる。
【００１６】
上記技術案において、カッターヘッドの中心軸線は、カッターの軸線と重なっており、カップ本体の中心軸線との間に、偏心距離Ｌ２があることが好ましい。
【００１７】
該技術案において、カッターヘッドの中心軸線は、カッターの軸線と重なっており、カップ本体の中心軸線との間に偏心距離Ｌ２を有し、即ちカッターヘッドとカッターが同軸であり、カップ本体の軸の中心が、カッターヘッドとカッターの軸の中心との間に、偏心距離Ｌ２を有し、同時にカッターヘッドの輪郭が偏心し、カップ本体の輪郭が偏心しなく、このような偏心技術を採用したカップ本体によって食物攪拌を行うことで、攪拌のスワール効果が改善でき、カッターが食物を粉砕するに有利であり、さらに攪拌性能を向上させ、食物の食感が良く、ユーザー体験を向上させる。
【００１８】
上記技術案において、カップ本体の中心軸線は、カッターの軸線と重なっており、カッターヘッドの中心軸線との間に、偏心距離Ｌ３があることが好ましい。
【００１９】
該技術案において、カップ本体の中心軸線は、カッターの軸線と重なっており、カッターヘッドの中心軸線との間に偏心距離Ｌ３を有する。即ちカップ本体がカッターと同軸であり、カッターヘッドとの間に、偏心距離Ｌ３を有する。同時にカッターヘッド輪郭も偏心し、カップ本体輪郭は偏心しない。この偏心構造を採用することによって、攪拌のスワール効果を改善し、カッターが食物を粉砕するに有利であり、さらに攪拌性能を向上させ、食物の食感が良く、ユーザー体験を向上させる。
【００２０】
上記技術案において、カップ本体の中心軸線と、カッターヘッドの中心軸線との間に、偏心距離Ｌ４があり、カッターヘッドの中心軸線と、カッターの軸線との間に、偏心距離Ｌ５があり、カップ本体の中心軸線と、カッターの軸線との間に、偏心距離Ｌ６があることが好ましい。
【００２１】
該技術案において、カップ本体の中心軸、カッターヘッドの中心軸及びカッター軸との間に、共に偏心距離を有し、同時にカッターヘッド輪郭が偏心し、カップ本体輪郭が偏心しない。この偏心構造を採用することによって、食物のスポイラー速度、及びカップ本体とカッターとの間の距離を変え、攪拌のスワール効果を更に改善し、カッターが食物を粉砕するに有利であり、さらに攪拌性能を向上させ、食物の食感が良く、ユーザー体験を向上させる。カップ本体の中心軸線、カッターの中心軸線及びカッターヘッドの中心軸線が非直線又は非平行である時に、各中心軸線の間の距離というのは、各中心軸線と任意の同一横断面との交点間の距離を表す。
【００２２】
上記技術案において、輪郭線における異なる点からベース円の円心までの距離から、ベース円半径をマイナスした絶対値である輪郭偏心距離を更に含み、カッターヘッドの輪郭偏心距離はＬ７であることが好ましい。
【００２３】
該技術案において、カッターヘッドの輪郭偏心距離はＬ７であり、カップ本体輪郭は偏心しない。偏心構造を取ることによりスポイラー効果を改善して、さらに破砕性能を向上させる。
【００２４】
上記技術案において、偏心距離Ｌ１のとる値の範囲は、０ｍｍ≦Ｌ１≦５０ｍｍであることが好ましい。
【００２５】
上記技術案において、偏心距離Ｌ２のとる値の範囲は、０ｍｍ≦Ｌ２≦５０ｍｍであることが好ましい。
【００２６】
上記技術案において、偏心距離Ｌ３のとる値の範囲は、０ｍｍ≦Ｌ３≦５０ｍｍであることが好ましい。
【００２７】
上記技術案において、偏心距離Ｌ４、偏心距離Ｌ５及び偏心距離Ｌ６のとる値の範囲は、それぞれ、０ｍｍ≦Ｌ４≦５０ｍｍ、０ｍｍ≦Ｌ５≦５０ｍｍ、０ｍｍ≦Ｌ６≦５０ｍｍであることが好ましい。
【００２８】
上記技術案において、カッターヘッドの輪郭偏心距離Ｌ７のとる値の範囲は、０ｍｍ≦Ｌ７≦１００ｍｍであることが好ましい。
【００２９】
該技術案において、合理的な偏心距離を設置することによって、最適なスポイラー効果を実現し、攪拌性能を向上させる。
【００３０】
上記技術案において、カッターヘッドとカップ本体とは、一体構造又は別体構造であることが好ましい。
【００３１】
該技術案において、一態様として、カッターヘッドとカップ本体とは一体構造であり、安定性が良く、取り付け易く、生産効率を上げる。一態様として、カッターヘッドとカップ本体とは別体構造であり、取外・メンテナンスに便利であるが、カッターヘッドとカップ本体との間の密封性を保証するために、カッターヘッドとカップ本体との間にリングシールが設けられることが好ましい。
【００３２】
上記技術案において、カッターヘッドの横断面は凸円形であることが好ましい。
【００３３】
該技術案において、カッターヘッドの横断面は凸円形であり、不規則な曲線によって偏心を作ることで、カップ本体のスポイラー効果を改善し、カッターが食物を粉砕するに有利であり、さらに攪拌性能を向上させる。更に、凸円形は楕円であり、カッターヘッドの横断面は楕円である。このような構造のカップ本体が加工し易く、同時に、カッターヘッドの中心軸、カッターの中心軸及びカップ本体の中心軸を、それぞれ楕円の両軸線に配置して、偏心を形成することで、構造が簡単で、操作し易く、且つカップ本体のスポイラー効果を更に改善し、カッターが食物を粉砕するに有利であり、さらに攪拌性能を向上させる。
【００３４】
上記技術案において、カップ壁は、カップ本体の外壁とカップ本体の内壁とを含み、カップ本体の輪郭線は、カップ本体の外壁とカップ本体の外壁横断面との交線であり、又はカップ本体の輪郭線は、カップ本体の内壁とカップ本体の内壁横断面との交線であることが好ましい。
【００３５】
該技術案において、カップ本体の輪郭線は、カップ本体の外壁とカップ壁断面との交線であっても良く、カップ本体の内壁とカップ壁断面との交線であっても良い。あらゆる方法でも輪郭線が得られ、且つ同一輪郭線における異なる点から、前記カッターヘッドにおける前記ベース円の円心までの距離が異なって、偏心構造を形成して、スワール効果を改善し、攪拌性能を向上させる。
【００３６】
上記いずれか一つの技術案において、カッターは、少なくとも２セットのナイフブレードを含み、各セットのナイフブレードは、少なくとも２枚のブレードを含み、１セットのナイフブレードのブレードが下向きに傾いて延伸し、１セットのナイフブレードのブレードが上向きに傾いて延伸し、又は、１セットのナイフブレードのブレードが水平に延伸し、１セットのナイフブレードのブレードが上向き又は下向きに傾いて延伸することが好ましい。
【００３７】
該技術案において、複数のセットのナイフブレードが設けられ、且つ各セットのナイフブレードの延伸角度が異なることにより、カップ本体のスポイラー効果を更に向上させ、カッターと食物との接触面積を増加して、食物に対する複数回の破砕を実現し、食物の破砕が更に徹底的になり、食物の食感が良く、ユーザー使用の満足度を向上させる。
【００３８】
上記技術案において、カッターは２セットのナイフブレードであり、それぞれは、第１のナイフブレードと第２のナイフブレードであり、各セットのナイフブレードは２枚のブレードからなり、第１のナイフブレードのブレードは、傾斜部と水平部とを含み、傾斜部がカッターヘッドの中心軸線に接近し、水平部がカッターヘッドの中心軸線から離れ、第１のナイフブレードのブレードが下向きに傾いて延伸し、且つ第２のナイフブレードの下方に設けられ、第２のナイフブレードのブレードが上向きに傾いて延伸することが好ましい。
【００３９】
該技術案において、２セットのナイフブレードが設けられ、第１のナイフブレードが第２のナイフブレードの上方に設けられ、且つ第１のナイフブレードのブレードが下向きに延伸し、第２のナイフブレードの方向は上向きに延伸し、延伸方向は逆である。上方両側のナイフブレードを設けることにより、カッターと食物との接触面積を十分に増加させ、破砕効率を向上させる。ブレードの延伸方向を逆方向に設けることにより、異なる高さのスポイラー効果と破砕効果を更に改善し、食物破砕効率を全体的に向上させ、破砕効果も改善されて、食物の食感とユーザーの使用体験を向上させる。
【００４０】
上記技術案において、第１のナイフブレードと第２のナイフブレードとは、一体構造であることが好ましい。
【００４１】
該技術案において、２セットのナイフブレードを一体構造に設けることによって、カッターの全体強度を強化させ、カッター使用の信頼性を保証し、カッターの使用寿命を延ばし、且つ一体式カッターは、メンテナンスと取付とに便利であり、生産効率を向上させる。
【００４２】
上記いずれか一つの技術案において、カップ本体内には、スポイラーリブが設けられ、カップ本体には、カップ蓋が設けられ、カップ蓋には、投入口が設けられ、投入口には、投入口カバーが設けられていることが好ましい。
【００４３】
該技術案において、カップ本体には、スポイラーリブを設けることで、スポイラー効果と破砕効果を更に改善し、カップ本体には、カップ蓋を設けることで、カップ本体が食物を破砕する過程における飛散による、衛生環境に影響することがないように保証する。更に、カップ蓋には、投入口を設けることで、投入し易く、カップ蓋を頻繁に開けることを避け、操作ステップを減少できる。カップ本体内に不純物が入らないことを保証するために、投入口には、投入口カバーを設けて、投入完了後、投入口カバーで、投入口を閉めて、使用の衛生性を保証する。
【００４４】
上記技術案において、カップ本体が設置されるカップ台を更に含み、カップ本体とカップ台とは、螺合接続されるか、又は係着されることが好ましい。
【００４５】
該技術案において、カップ本体がカップ台に設置され、カップ本体とカップ台とは螺合接続されるか、又は係着され、構造が簡単で、取付及び取外しに便利であり、生産効率を向上させ、生産コストを低減する。
【００４６】
上記技術案において、カッターヘッドとカップ本体との間にリングシールが設けられ、カップ本体とカップ台を螺合接続することにより、カッターヘッドをカップ本体の底部に押し付けて固定することが好ましい。
【００４７】
該技術案において、カッターヘッドとカップ本体との間にリングシールを設けることによって、カップ本体とカッターヘッドとの間の密封効果を保証し、更に、カップ本体とカップ台の螺合接続によって、カッターヘッドがカップ本体底部に押し付けられるので、カッターヘッドの固定に更に有利であり、使用の安全性を保証する。
【００４８】
本発明の第２の態様の実施例によると、カッターヘッドとカップ本体を含み、カッターヘッドにはカッターが設けられ、カッターヘッドのサイドウォールとカッターヘッドの断面との交線をカッターヘッドの輪郭線とし、カッターヘッドの輪郭線の最大内接円、又は最小外接円をカッターヘッドのベース円としたとき、カッターヘッドの中心軸線がカッターヘッドのベース円の円心を通り、カップ本体は、カッターヘッドの上方に位置し、カッターヘッド上に設けられ、カップ壁とカップ壁の断面との交線をカップ本体の輪郭線とし、カップ本体の輪郭線の最大内接円、又は最小外接円をカップ本体のベース円としたとき、カップ本体の中心軸線がカップ本体のベース円の円心を通り、カッターヘッドの中心軸線とカップ本体の中心軸線とは重なっているか、又は重なっていないことを特徴とする食物調理器を提供する。
【００４９】
本発明で提供する食物調理器は、一態様として、カッターヘッドの中心軸線は、カップ本体の中心軸線と重なっている。即ちカッターヘッドとカップ本体の中心線が重なっており、カッターの軸線とは、重なっていてもよいし、偏心距離を有してもよい。一態様として、カッターヘッドの中心軸線は、カップ本体の中心軸線と重なっていない。即ちカッターヘッドがカッターと同軸であり、カップ本体との間に、偏心距離を有する。又はカップ本体がカッターと同軸であり、カッターヘッドとの間に、偏心距離を有する。又は、カッターヘッドの中心軸線、カップ本体の中心軸線、及びカッターの軸線の間に互いに偏心距離を有する。偏心技術を採用した食物調理器によって、食物攪拌を行うことで、攪拌のスワール効果を改善し、カッターが食物を粉砕するのに有利であり、さらに攪拌性能を向上させ、食物の食感が良く、ユーザー体験を向上させる。
【００５０】
また、本発明で提供する上記実施例における食物調理器は、さらに以下の付加的な技術的特徴を有しても良い。
【００５１】
上記技術案において、カッターヘッドの中心軸線は、カップ本体の中心軸線と重なっており、カッターの軸線との間に、偏心距離Ｌ１があることが好ましい。
【００５２】
該技術案において、カッターヘッドの中心軸線は、カップ本体の中心軸線と重なっており、カッターの軸線との間に、偏心距離Ｌ１を有する。即ちカッターが偏心している。カッターが相対的に偏心する構造を採用することによって、攪拌のスワール効果を改善し、カッターが食物を粉砕するに有利であり、さらに攪拌性能を向上させ、食物の食感が良く、ユーザー体験を向上させる。
【００５３】
上記技術案において、カッターヘッドの中心軸線は、カッターの軸線と重なっており、カップ本体の中心軸線との間に、偏心距離Ｌ２があることが好ましい。
【００５４】
該技術案において、カッターヘッドの中心軸線がカッターの軸線と重なっており、カップ本体の中心軸線との間に、偏心距離Ｌ２を有する。即ちカッターヘッドがカッターと同軸であり、カップ本体の軸の中心が、カッターヘッドとカッターの軸の中心との間に、偏心距離Ｌ２を有する。このような偏心構造を採用したカップ本体によって食物攪拌を行うことで、攪拌のスワール効果を改善し、カッターが食物を粉砕するに有利であり、さらに攪拌性能を向上させ、食物の食感が良く、ユーザー体験を向上させる。
【００５５】
上記技術案において、カップ本体の中心軸線は、カッターの軸線と重なっており、カッターヘッドの中心軸線との間に、偏心距離Ｌ３があることが好ましい。
【００５６】
該技術案において、カップ本体の中心軸線が、カッターの軸線と重なっており、カッターヘッドの中心軸線との間に、偏心距離Ｌ３を有する。即ちカップ本体がカッターと同軸であり、カッターヘッドとの間に、偏心距離Ｌ３を有する。この偏心構造を採用することによって、攪拌のスワール効果を改善し、カッターが食物を粉砕するに有利であり、さらに攪拌性能を向上させ、食物の食感が良く、ユーザー体験を向上させる。
【００５７】
上記技術案において、カップ本体の中心軸線とカッターヘッドの中心軸線との間に、偏心距離Ｌ４があり、カッターヘッドの中心軸線とカッターの軸線との間に、偏心距離Ｌ５があり、カップ本体の中心軸線とカッターの軸線との間に、偏心距離Ｌ６があることが好ましい。
【００５８】
該技術案において、カップ本体の中心軸、カッターヘッドの中心軸及びカッター軸の間に、共に偏心距離を有し、この偏心構造を採用することによって攪拌のスワール効果を更に改善し、カッターが食物を粉砕するに有利であり、さらに攪拌性能を向上させ、食物の食感が良く、ユーザー体験を向上させる。カップ本体の中心軸線、カッターの中心軸線及びカッターヘッドの中心軸線が非直線又は非平行である時に、各中心軸線間の距離とは、各中心軸線と任意の同一横断面との交点間の距離を表す。
【００５９】
上記技術案において、偏心距離Ｌ１、偏心距離Ｌ２、偏心距離Ｌ３、偏心距離Ｌ４、偏心距離Ｌ５及び偏心距離Ｌ６のとる値の範囲は、それぞれ、０ｍｍ≦Ｌ１≦５０ｍｍ、０ｍｍ≦Ｌ２≦５０ｍｍ、０ｍｍ≦Ｌ３≦５０ｍｍ、０ｍｍ≦Ｌ４≦５０ｍｍ、０ｍｍ≦Ｌ５≦５０ｍｍ、０ｍｍ≦Ｌ６≦５０ｍｍであることが好ましい。
【００６０】
該技術案において、合理的な偏心距離を設けることによって、最適なスポイラー効果を実現し、攪拌性能を向上させる。
【００６１】
上記技術案において、カップ本体の同一輪郭線における異なる点から、カップ本体のベース円の円心までの距離が同じであり、カッターヘッドの同一輪郭線における異なる点から、カッターヘッドのベース円の円心までの距離が同じであることが好ましい。
【００６２】
該技術案において、カップ本体の同一輪郭線における異なる点から、前記カップ本体ベース円の円心までの距離が同じであり、即ちカップ本体輪郭線が偏心しなく、且つカッターヘッドの同一輪郭線における異なる点から、前記カッターヘッドベース円の円心までの距離が同じであり、即ちカッターヘッド輪郭線が偏心しない。同時に、カップ本体輪郭とカッターヘッド輪郭が共に偏心しない場合において、一態様として、カッターヘッドの中心軸線とカップ本体の中心軸線とは重なっており、一態様として、カッターヘッドの中心軸線とカップ本体の中心軸線とは重なっておらず、即ちカッターヘッドの中心軸線とカップ本体の中心軸線とは相対的に偏心する。偏心技術を採用した食物調理器によって食物攪拌を行うことで、攪拌のスワール効果を改善し、カッターが食物を粉砕するのに有利であり、さらに攪拌性能を向上させ、食物の食感が良く、ユーザー体験を向上させる。
【００６３】
上記技術案において、輪郭線における異なる点からベース円の円心までの距離から、ベース円半径をマイナスした絶対値である輪郭偏心距離を更に含み、カッターヘッドの輪郭偏心距離はＬ７であることが好ましい。
【００６４】
該技術案において、カッターヘッドの輪郭偏心距離はＬ７であり、カップ本体輪郭は偏心しない。偏心構造を取ることによりスポイラー効果を改善して、さらに破砕性能を向上させる。
【００６５】
上記技術案において、カッターヘッドの輪郭偏心距離Ｌ７のとる値の範囲は、０ｍｍ≦Ｌ７≦１００ｍｍであることが好ましい。
【００６６】
該技術案において、カッターヘッドの輪郭偏心距離のとる値を合理的に設置することによって、最適なスポイラー効果を実現して、破砕効果を向上させる。
【００６７】
上記技術案において、カッターヘッドの横断面は凸円形であることが好ましい。
【００６８】
該技術案において、カッターヘッドの横断面は凸円形である。不規則な曲線で偏心を作ることで、カップ本体のスポイラー効果を改善し、カッターが食物を粉砕することに有利であり、さらに攪拌性能を向上させる。更に、凸円形は楕円であり、カッターヘッドの横断面は楕円である。このような構造のカップ本体は加工し易く、同時にカッターヘッドの中心軸、カッターの中心軸及びカップ本体の中心軸を、それぞれ楕円の両軸線に配置して、偏心を形成し、構造が簡単で、操作し易く、かつカップ本体のスポイラー効果を更に改善し、カッターが食物を粉砕することに有利であり、さらに攪拌性能を向上させる。
【００６９】
上記技術案において、カッターヘッドとカップ本体とは一体構造、又は別体構造であることが好ましい。
【００７０】
該技術案において、一態様として、カッターヘッドとカップ本体とは一体構造であり、安定性がよく、取り付け易く、生産効率を向上させ、且つ一部偏心の構造を構成し、スポイラー効果が有効的に改善できる。一態様として、カッターヘッドとカップ本体とは別体構造であり、取外・メンテナンスし易いが、カッターヘッドとカップ本体との密封性を保証するために、カッターヘッドとカップ本体との間にリングシールが設けられることが好ましい。
【００７１】
本発明の他の様態やメリットは、以下の説明においてより明確になり、又は本発明の実施により理解できる。
【図面の簡単な説明】
【００７２】
本発明の上記及び／又は他の態様やメリットは、以下の図面を結合した実施例の説明から明確になり、容易に理解することができる。
【図１】最小外接円を示す模式図である。
【図２】最大内接円の模式図である。
【図３】本発明に係る一実施例のカッターヘッドの偏心構造を示す模式図である。
【図４】本発明に係る他の一つの実施例のカッターヘッドの偏心構造を示す模式図である。
【図５】本発明に係る一つの実施例の食物調理器の構造を示す模式図である。
【図６】本発明に係る他の一つの実施例の食物調理器の構造を示す模式図である。
【図７】本発明に係るもう一つの実施例の食物調理器の構造を示す模式図である。
【図８】本発明に係るもう一つの実施例の食物調理器の構造を示す模式図である。
【図９】本発明に係るもう一つの実施例の食物調理器の構造を示す模式図である。
【図１０】本発明に係る一つの実施例の食物調理器の分解構造を示す模式図である。
【図１１】図１０に示された実施例の食物調理器の組立後の構造を示す模式図である。
【発明を実施するための形態】
【００７３】
本発明の上記目的、特徴、メリットを一層明確に理解するように、以下、図面と具体な実施形態を結合して本発明を更に詳しく説明する。なお、衝突しない限り、本願の実施例及び実施例中の特徴を組み合せすることができる。
【００７４】
本発明を充分に理解するように、以下の説明で多くの具体な詳細を説明するが、本発明はここで説明する形態と異なる形態で実施することもできるので、本発明の保護範囲は以下で開示する具体な実施例に限定されない。
【００７５】
以下、図１乃至図１１を参照して、本発明に係る幾つかの実施例による食物調理器を説明する。
【００７６】
図３乃至図４に示すように、本発明で提供する食物調理器１はカッターヘッド１０４とカップ本体１０２を含み、カッターヘッド１０４にはカッター１０６が設けられ、カッターヘッド１０４のサイドウォールとカッターヘッド１０４の横断面との交線をカッターヘッドの輪郭線とし、カッターヘッドの輪郭線の最大内接円、又は最小外接円をカッターヘッドのベース円としたとき、カッターヘッド１０４の中心軸線がカッターヘッドのベース円の円心を通り、カップ本体１０２は、カッターヘッド１０４の上方に位置し、カッターヘッド１０４上に設けられ、カップ本体１０２のカップ壁とカップ壁の横断面との交線をカップ本体の輪郭線１１０とし、カップ本体輪郭線１１０の最大内接円、又は最小外接円をカップ本体のベース円１０８としたとき、カップ本体１０２の中心軸線がカップ本体のベース円１０８の円心を通り、カップ本体の同一輪郭線１１０における異なる点から、前記カップ本体のベース円１０８の円心までの距離が同じであり、カッターヘッドの同一輪郭線における異なる点から、前記カッターヘッドのベース円の円心までの距離が異なる。
【００７７】
図１に示すように、最小外接円とは、実際に測定された輪郭に外接可能な最小円で、その円心はＯであり、図２に示すように、最大内接円とは、実際に測定された輪郭に内接可能な最大円で、その円心はＯ’である。本発明で提供する食物調理器は、カッターヘッド輪郭線とカップ本体輪郭線の最大内接円、又は最小外接円は、それぞれカッターヘッド輪郭線のカッターヘッドベース円、カップ本体輪郭線のカップ本体ベース円であり、カッターヘッドの軸線とカップ本体の軸線は、それぞれカッターヘッドベース円の円心とカップ本体ベース円の円心を通る。カップ本体の同一輪郭線における異なる点から、カップ本体ベース円の円心までの距離が同じであり、即ちカップ本体輪郭は偏心していない。カッターヘッドの同一輪郭線における異なる点から、前記カッターヘッドベース円の円心までの距離が異なり、カッターヘッド輪郭は偏心構造である。本発明で提供する食物調理器は、カッターヘッド輪郭が偏心構造である食物調理器によって、食物攪拌を行うことで、攪拌のスポイラー効果が改善でき、カッターが食物を粉砕することに有利であり、さらに攪拌性能を向上させ、食物の食感が良く、ユーザー体験を向上させる。更に、食物に対して、更に十分に破砕するために、カップ本体の中心軸線、カッターヘッドの軸線及びカッターの軸線の相対的な位置を調整することによって、攪拌のスポイラー効果を更に改善して、食物の食感を改善する。
【００７８】
具体的な実施例において、図３と図４に示すように、カッターヘッド輪郭の二種類の偏心構造は、それぞれ、カッターヘッド輪郭が外に突出する構造と、カッターヘッド輪郭が内に凹んでいる構造であり、この二種類の偏心構造によって、食物攪拌を行う時に、食物が突出構造、又は凹んでいる構造を通過する際に、攪拌の速度、及びカッターとカッターヘッドの内壁との距離が変えられ、スポイラー効果を改善し、食物の破砕が更に徹底的になる。
【００７９】
更に、本発明で提供する食物調理器１は、カッターヘッド１０４には、加熱装置が設けられ、加熱装置は、発熱プレート、コイルプレート及び加熱コーティング層などを含み、発熱プレートは、凹溝式構造であり、カッター１０６は前記加熱装置を通してカッターヘッド内に設けられ、カップ本体１０２が加熱装置の上方に位置し、カップ本体１０２とカッターヘッドには、共にスポイラーリブ１１２が設けられる。カッターヘッド１０４が偏心構造に設置されることで、スポイラーリブ１１２と合わせて、攪拌のスポイラー効果を改善し、カッター１０６が食物を粉砕することに有利であり、さらに攪拌性能を向上させ、食物の食感が良く、ユーザー体験を向上させる。更に、食物調理器のカップ本体１０２は、上部開口と下部開口を有し、且つ前記カップ本体１０２の横断面積が、上から下に向かって小さくなり、即ちカップ本体１０２の全体が一定のテーパを有し、下端の横断面積より、上端の横断面積が大きく、一方ではカッターが食物を破砕することに有利であり、もう一方では一定のテーパを有するカップ本体はスポイラーに有利であり、食物のスポイラー効果と破砕効果を更に改善して、食物の食感を向上させる。
【００８０】
本発明の一つの実施例において、カッターヘッド１０４の中心軸線がカップ本体１０２の中心軸線と重なっていることが好ましい。
【００８１】
この実施例において、カッターヘッド１０４とカップ本体１０２との中心線が重なっており、カップ本体１０２輪郭が偏心しなく、カッターヘッド１０４輪郭が偏心している。食物調理器１がカッターヘッド輪郭の偏心構造を採用して食物攪拌を行うことで、攪拌のスワール効果を改善し、食物流れの速度が異ならせ、カッター１０６が食物を粉砕することに有利であり、さらに攪拌性能を向上させ、食物の食感が良く、ユーザー体験を向上させる。
【００８２】
本発明の一つの実施例において、カッターヘッド１０４の中心軸線とカッター１０６の軸線が、カップ本体１０２の中心軸線と重なっていることが好ましい。
【００８３】
この実施例において、カッターヘッド１０４の中心軸線とカッター１０６の軸線が、カップ本体１０２の中心軸線と重なっている。即ちカップ本体１０２、カッターヘッド１０４及びカッター１０６は同一の中心軸線であり、カップ本体１０２輪郭が偏心しなく、カッターヘッド１０４輪郭が偏心している。このような偏心構造を採用した食物調理器１によって、食物攪拌を行うことで、攪拌のスワール効果が改善でき、カッター１０６が食物を粉砕することに有利であり、さらに攪拌性能を向上させ、食物の食感が良く、ユーザー体験を向上させる。
【００８４】
本発明の一つの実施例において、カッターヘッド１０４の中心軸線は、カップ本体１０２の中心軸線と重なっており、カッター１０６の軸線との間に、偏心距離Ｌ１を有することが好ましい。
【００８５】
この実施例において、カッターヘッド１０４の中心軸線が、カップ本体１０２の中心軸線と重なっており、カッター１０６の軸線との間に、偏心距離Ｌ１を有する。即ちカッター１０６が偏心している。カッターヘッド輪郭が偏心し、カッターが偏心する構造を採用することによって、攪拌のスワール効果を改善し、カッター１０６が食物を粉砕することに有利であり、さらに攪拌性能を向上させ、食物の食感が良く、ユーザー体験を向上させる。
【００８６】
本発明の一つの実施例において、カッターヘッド１０４の中心軸線がカップ本体１０２の中心軸線と重なっていないことが好ましい。
【００８７】
この実施例において、カッターヘッド１０４の中心軸線が、カップ本体１０２の中心軸線と重なっておらず、即ち軸線が相対的に偏心し、同時にカップ本体１０２輪郭が偏心しなく、カッターヘッド１０４輪郭が偏心している。食物調理器１が偏心構造を採用して食物攪拌を行うことで、攪拌のスワール効果を改善し、カッター１０６が食物を粉砕することに有利であり、さらに攪拌性能を向上させ、食物の食感が良く、ユーザー体験を向上させる。
【００８８】
本発明の一つの実施例において、カッターヘッド１０４の中心軸線は、カッター１０６の軸線と重なっており、カップ本体１０２の中心軸線との間に、偏心距離Ｌ２を有することが好ましい。
【００８９】
この実施例において、カッターヘッド１０４の中心軸線が、カッター１０６の軸線と重なっており、カップ本体１０２の中心軸線との間に、偏心距離Ｌ２を有し、即ちカッターヘッド１０４がカッター１０６と同軸であり、カップ本体１０２の軸の中心が、カッターヘッド１０４とカッター１０６の軸の中心との間に、偏心距離Ｌ２を有する。同時にカッターヘッドの輪郭が偏心し、カップ本体の輪郭が偏心していない。このような偏心構造を採用したカップ本体１０２によって、食物攪拌を行うことで、攪拌のスワール効果が改善でき、カッター１０６が食物を粉砕することに有利であり、さらに攪拌性能を向上させ、食物の食感が良く、ユーザー体験を向上させる。
【００９０】
本発明の一つの実施例において、カップ本体１０２の中心軸線は、カッター１０６の軸線と重なっており、カッターヘッド１０４の中心軸線との間に、偏心距離Ｌ３を有することが好ましい。
【００９１】
この実施例において、カップ本体１０２の中心軸線が、カッター１０６の軸線と重なっており、カッターヘッド１０４の中心軸線との間に、偏心距離Ｌ３を有する。即ちカップ本体１０２がカッター１０６と同軸であり、カッターヘッド１０４との間に、偏心距離Ｌ３を有する。同時にカッターヘッド輪郭も偏心し、カップ本体輪郭が偏心しない。この偏心構造を採用することによって、攪拌のスワール効果を改善し、カッター１０６が食物を粉砕することに有利であり、さらに攪拌性能を向上させ、食物の食感が良く、ユーザー体験を向上させる。
【００９２】
本発明の一つの実施例において、カップ本体１０２の中心軸線と、カッターヘッド１０４の中心軸線との間に、偏心距離Ｌ４を有し、カッターヘッド１０４の中心軸線と、カッター１０６の軸線との間に、偏心距離Ｌ５を有し、カップ本体１０２の中心軸線と、カッター１０６の軸線との間に、偏心距離Ｌ６を有することが好ましい。
【００９３】
この実施例において、カップ本体１０２の中心軸、カッターヘッド１０４の中心軸及びカッター１０６軸の間に、共に偏心距離を有し、同時にカッターヘッド輪郭が偏心し、カップ本体輪郭が偏心していない。この偏心構造を採用することによって攪拌のスワール効果を更に改善し、カッター１０６が食物を粉砕することに有利であり、さらに攪拌性能を向上させ、食物の食感が良く、ユーザー体験を向上させる。具体的な実施例において、カップ本体の中心軸線、カッターの中心軸線及びカッターヘッドの中心軸線が非直線又は非平行である時に、各中心軸線間の距離とは、各中心軸線と任意の同一横断面との交点間の距離を表す。
【００９４】
本発明の一つの実施例において、輪郭線における異なる点からベース円の円心までの距離から、ベース円半径をマイナスした絶対値である輪郭偏心距離を更に含むことが好ましい。ここで、カッターヘッドの輪郭偏心距離はＬ７である。
【００９５】
この実施例において、カッターヘッド１０４の輪郭偏心距離はＬ７である。偏心構造によってスポイラー効果を改善して、さらに破砕性能を向上させる。
【００９６】
本発明の一つの実施例において、偏心距離Ｌ１、偏心距離Ｌ２、偏心距離Ｌ３、偏心距離Ｌ４、偏心距離Ｌ５及び偏心距離Ｌ６のとる値の範囲は、それぞれ、０ｍｍ≦Ｌ１≦５０ｍｍ、０ｍｍ≦Ｌ２≦５０ｍｍ、０ｍｍ≦Ｌ３≦５０ｍｍ、０ｍｍ≦Ｌ４≦５０ｍｍ、０ｍｍ≦Ｌ５≦５０ｍｍ、０ｍｍ≦Ｌ６≦５０ｍｍであり、カッターヘッド１０４の輪郭偏心距離Ｌ７のとる値の範囲は、０ｍｍ≦Ｌ７≦１００ｍｍであることが好ましい。
【００９７】
この実施例において、合理的な偏心距離を設置することによって、最適なスポイラー効果を実現し、攪拌性能を向上させる。
【００９８】
本発明の一つの実施例において、カッターヘッド１０４とカップ本体１０２とは一体構造又は別体構造であることが好ましい。
【００９９】
この実施例において、一態様として、カッターヘッド１０４とカップ本体１０２とは一体構造であり、安定性が良く、取り付け易く、生産効率を向上させる。一態様として、カッターヘッド１０４とカップ本体１０２とは別体構造であり、取外・メンテナンスし易いが、カッターヘッド１０４とカップ本体１０２の密封性を保証するために、カッターヘッド１０４とカップ本体１０２との間にリングシールが設けられることが好ましい。
【０１００】
本発明の一つの実施例において、カッターヘッド１０４の横断面は凸円形であることが好ましい。
【０１０１】
この実施例において、カッターヘッド１０４の横断面は凸円形である。不規則な曲線で偏心を作ることによって、カップ本体１０２のスポイラー効果を改善し、カッター１０６が食物を粉砕することに有利であり、さらに攪拌性能を向上させる。更に、本発明において、凸円形が楕円であることが好ましい。具体的な実施例において、カッターヘッド１０４の横断面は楕円であり、このような構造のカップ本体１０２が加工し易く、同時にカッターヘッド１０４の中心軸、カッター１０６の中心軸及びカップ本体１０２の中心軸をそれぞれ楕円の二つの焦点に配置して偏心を形成することで、構造が簡単であり、操作し易く、且つカップ本体１０２のスポイラー効果を更に改善し、カッター１０６が食物を粉砕することに有利であり、さらに攪拌性能を向上させる。具体的な実施例において、一態様として、楕円は二つの焦点Ｆ１とＦ２とを有し、カッターヘッド１０４の中心軸と、カッター１０６の中心軸とは、楕円の二つの焦点Ｆ１とＦ２のうちの一つに同軸に配置され、カップ本体１０２の中心軸は、楕円の二つの焦点Ｆ１とＦ２のうちのもう一つに配置される。一態様として、カッターヘッド１０４の中心軸とカッター１０６の中心軸とが、同軸ではなく、それぞれ楕円の二つの焦点Ｆ１とＦ２のうちの一つに位置し、カップ本体１０２の中心軸がカッターヘッド１０４の中心軸とカッター１０６の中心軸のうちの一方と同軸とする。一態様として、カッターヘッド１０４の中心軸とカッター１０６の中心軸とが、同軸ではなく、それぞれ楕円の二つの焦点Ｆ１とＦ２のうちの一つに位置し、カップ本体１０２の中心軸が、カッターヘッド１０４の中心軸とカッター１０６の中心軸のいずれとも同軸ではなく、カップ本体１０２の中心軸が、楕円の二つの焦点Ｆ１とＦ２以外の点に位置する。以上は一部の実施例に過ぎず、本申請の保護範囲はこれに限らず、カップ本体１０２の中心軸、カッターヘッド１０４の中心軸、及びカッター１０６の中心軸の配置位置は、最適な効果を実現するように、具体的な状況に応じて実施する。
【０１０２】
本発明の一つの実施例において、図２に示すように、カップ壁は、前記カップ本体１０２の外壁と内壁とを含み、カップ本体１０２の前記輪郭線は、カップ本体１０２の外壁とカップ本体１０２の外壁横断面との交線であり、又は、カップ本体１０２の輪郭線は、カップ本体１０２の内壁とカップ本体１０２の内壁横断面との交線であることが好ましい。
【０１０３】
この実施例において、カップ本体１０２の輪郭線は、カップ本体１０２の外壁とカップ壁横断面との交線、即ちカップ本体の内輪郭線１１０４であっても良く、カップ本体１０２の内壁とカップ壁横断面との交線、即ちカップ本体の外輪郭線１１０２であっても良い。様々な方法で輪郭線が得られ、且つ同一輪郭線における異なる点から、前記カッターヘッド１０４における前記ベース円の円心までの距離が異なり、偏心構造を形成して、スワール効果を改善し、さらに攪拌性能を向上させる。
【０１０４】
本発明の一つの実施例において、カッター１０６は、少なくとも２セットのナイフブレードを含み、各セットのナイフブレードは、少なくとも２枚のブレード１２６を含み、１セットのナイフブレードのブレード１２６が下向きに傾いて延伸し、１セットのナイフブレードのブレード１２６が上向きに傾いて延伸し、又は、１セットのナイフブレードのブレード１２６が水平に延伸し、１セットのナイフブレードのブレード１２６が、上向き又は下向きに傾いて延伸することが好ましい。
【０１０５】
この実施例において、複数のセットのナイフブレードを設け、且つ各セットのナイフブレードの延伸角度が異なることによって、カップ本体のスポイラー効果を更に向上させ、カッター１０６と食物との接触面積を増加して、食物に対する複数回の破砕を実現し、食物の破砕が更に徹底的になり、食物の食感が良く、ユーザー使用の満足度を向上させる。
【０１０６】
本発明の一つの実施例において、カッター１０６は２セットのナイフブレードであり、それぞれは、第１のナイフブレード１２２と第２のナイフブレード１２４であり、各セットのナイフブレードは２枚のブレード１２６からなり、第１のナイフブレード１２２のブレード１２６は、傾斜部と水平部を含み、傾斜部がカッターヘッドの中心軸線に接近し、水平部がカッターヘッドの中心軸線から離れ、第１のナイフブレード１２２のブレード１２６が下向きに傾いて延伸し、且つ第２のナイフブレード１２４の下方に設けられ、第２のナイフブレード１２４のブレード１２６が上向きに傾いて延伸することが好ましい。
【０１０７】
この実施例において、２セットのナイフブレードを設ける。第１のナイフブレード１２２が第２のナイフブレード１２４の上方に設けられ、且つ第１のナイフブレード１２２のブレード１２６が下向きに延伸し、第２のナイフブレード１２４の方向は上向きに延伸し、延伸方向は逆である。上方両側のナイフブレードを設けることで、カッター１０６と食物との接触面積を十分に増加し、破砕効率を向上させる。ブレード１２６の延伸方向を逆方向に設けることで、異なる高さのスポイラー効果と破砕効果を更に改善して、食物破砕効率を全体的に向上させ、破砕効果も改善され、食物の食感及びユーザーの使用体験を向上させる。
【０１０８】
本発明の一つの実施例において、第１のナイフブレード１２２と第２のナイフブレード１２４とは一体構造であることが好ましい。
【０１０９】
この実施例において、２セットのナイフブレードを一体構造に設けることで、カッター１０６の全体的な強度を増加し、カッター１０６の使用の信頼性を保証し、カッター１０６の使用寿命を延ばし、且つ一体式のカッター１０６であるため、メンテナンスと取付し易く、生産効率を向上させる。
【０１１０】
本発明の一つの実施例において、カップ本体１０２内には、スポイラーリブ１１２が設けられ、カップ本体１０２には、カップ蓋１１６が設けられ、カップ蓋１１６には、投入口１１８が設けられ、投入口１１８には、投入口カバー１２０が設けられていることが好ましい。
【０１１１】
この実施例において、カップ本体１０２内には、スポイラーリブ１１２を設けることによって、スポイラー効果と破砕効果を更に改善し、カップ本体１０２に、カップ蓋１１６を設けることで、カップ本体１０２が食物を破砕する過程における飛散による、衛生環境に影響することがないように保証する。更に、カップ蓋１１６には、投入口１１８を設けることで、投入し易くなり、カップ蓋１１６を頻繁的に開けることを避け、操作ステップを減少できる。カップ本体１０２内に、不純物が入らないことを保証するために、投入口１１８には、投入口カバー１２０が設けられ、投入完了後、投入口カバー１２０で投入口１１８を閉めて、使用衛生を保証する。
【０１１２】
本発明の一つの実施例において、カップ本体１０２が設置されるカップ台１１４を更に含み、カップ本体１０２とカップ台１１４とが、螺合接続されるか、又は係着されることが好ましい。
【０１１３】
この実施例において、カップ本体１０２がカップ台１１４に設置され、カップ本体１０２とカップ台１１４とが螺合接続され、又は係着され、構造が簡単で、取付及び取外し易く、生産効率を向上させ、生産コストを低減する。
【０１１４】
本発明の一つの実施例において、カッターヘッド１０４とカップ本体１０２との間に、リングシールが設けられ、カップ本体１０２とカップ台１１４とを螺合接続することにより、カッターヘッドをカップ本体１０２の底部に押し付けて固定することが好ましい。
【０１１５】
この実施例において、カッターヘッド１０４とカップ本体１０２との間にリングシールを設けることで、カップ本体１０２とカッターヘッド１０４との間の密封効果を保証し、更に、カップ本体１０２とカップ台１１４とが螺合接続され、カッターヘッド１０４をカップ本体１０２底部に押し付けるので、カッターヘッド１０４の固定に更に有利であり、使用安全性を保証する。
【０１１６】
図５乃至図９に示すように、本発明のもう一つの実施例は、カッターヘッド１０４とカップ本体１０２を含み、カッターヘッド１０４にはカッター１０６が設けられ、カッターヘッド１０４のサイドウォールとカッターヘッド１０４の横断面との交線をカッターヘッド１０４の輪郭線とし、カッターヘッド１０４の輪郭線の最大内接円、又は最小外接円をカッターヘッド１０４のベース円としたとき、カッターヘッド１０４の中心軸線がカッターヘッド１０４のベース円の円心を通り、カップ本体１０２は、カッターヘッド１０４の上方に位置し、カッターヘッド１０４上に設けられ、カップ本体１０２のカップ壁とカップ壁の横断面との交線をカップ本体１０２の輪郭線とし、カップ本体１０２の輪郭線の最大内接円、又は最小外接円をカップ本体１０２のベース円としたとき、カップ本体１０２の中心軸線がカップ本体１０２のベース円の円心を通り、前記カッターヘッド１０４の中心軸線と前記カップ本体１０２の中心軸線とが重なっているか、又は重なっていない食物調理器１を提供する。
【０１１７】
本発明で提供する食物調理器１は、図１に示すように、最小外接円とは、実際に測定された輪郭に外接可能な最小円で、その円心はＯであり、図２に示すように、最大内接円とは、実際に測定された輪郭に内接可能な最大円で、その円心はＯ’である。本発明で提供する食物調理器は、カッターヘッド輪郭線とカップ本体輪郭線の最大内接円、又は最小外接円は、それぞれカッターヘッド輪郭線のカッターヘッドベース円、カップ本体輪郭線のカップ本体ベース円であり、カッターヘッドの軸線とカップ本体の軸線は、それぞれカッターヘッドベース円の円心とカップ本体ベース円の円心を通る。図５に示すように、一態様として、カッターヘッド１０４の中心軸線が、カップ本体１０２の中心軸線と重なっている。即ちカッターヘッド１０４とカップ本体１０２との中心線が重なっており、カッター１０６の軸線とは、重なっていてもよいし、偏心距離を有してもよい。一態様として、カッターヘッド１０４の中心軸線が、カップ本体１０２の中心軸線と重なっていない。即ちカッターヘッド１０４がカッター１０６と同軸であり、カップ本体１０２との間に、偏心距離を有するか、カップ本体１０２がカッター１０６と同軸であり、カッターヘッド１０４との間に、偏心距離を有するか、又は、カッターヘッド１０４の中心軸線、カップ本体１０２の中心軸線、及びカッター１０６の軸線の間に偏心距離を有する。偏心技術を採用した食物調理器１によって、食物攪拌を行うことで、攪拌のスワール効果を改善し、カッター１０６が食物を粉砕することに有利であり、さらに攪拌性能を向上させ、食物の食感が良く、ユーザー体験を向上させる。
【０１１８】
本発明の一つの実施例において、カッターヘッド１０４の中心軸線とカッター１０６の軸線が、カップ本体１０２の中心軸線と重なっていることが好ましい。
【０１１９】
この実施例において、図５に示すように、カップ本体ベース円の円心ＯＣを通るカップ本体１０２の中心軸線、カッターの軸線ＯＫを通るカッター１０６の軸線及びカッターヘッドベース円の円心ＯＰを通るカッターヘッド１０４の中心軸線は重なっており、即ちカップ本体１０２、カッターヘッド１０４及びカッター１０６は同一の中心軸線を有し、このような偏心構造を採用した食物調理器１によって食物攪拌を行うことで、攪拌のスワール効果が改善でき、カッター１０６が食物を粉砕することに有利であり、さらに攪拌性能を向上させ、食物の食感が良く、ユーザー体験を向上させる。
【０１２０】
本発明の一つの実施例において、カッターヘッド１０４の中心軸線は、カップ本体１０２の中心軸線と重なっており、カッター１０６の軸線との間に、偏心距離Ｌ１があることが好ましい。
【０１２１】
この実施例において、図６に示すように、カッターヘッドベース円の円心ＯＰを通るカッターヘッド１０４の中心軸線が、カップ本体ベース円の円心ＯＣを通るカップ本体１０２の中心軸線と重なっており、カッターの軸線ＯＫを通るカッター１０６の軸線との間に、偏心距離Ｌ１があり、即ちカッター１０６が偏心している。カッター１０６が相対的に偏心する構造を採用することによって、攪拌のスワール効果を改善し、カッター１０６が食物を粉砕することに有利であり、さらに攪拌性能を向上させ、食物の食感が良く、ユーザー体験を向上させる。
【０１２２】
本発明の一つの実施例において、カッターヘッド１０４の中心軸線が、カッター１０６の軸線と重なっており、カップ本体１０２の中心軸線との間に、偏心距離Ｌ２を有することが好ましい。
【０１２３】
この実施例において、図７に示すように、カッターヘッドベース円の円心ＯＰを通るカッターヘッド１０４の中心軸線が、カッターの軸線ＯＫを通るカッター１０６の軸線と重なっており、カップ本体ベース円の円心ＯＣを通るカップ本体１０２の中心軸線との間に、偏心距離Ｌ２がある。即ちカッターヘッド１０４とカッター１０６とは同軸であり、カップ本体１０２の軸の中心が、カッターヘッド１０４とカッター１０６の軸の中心との間に、偏心距離Ｌ２を有する。このような偏心構造を採用したカップ本体１０２によって食物攪拌を行うことで、攪拌のスワール効果が改善でき、カッター１０６が食物を粉砕することに有利であり、さらに攪拌性能を向上させ、食物の食感が良く、ユーザー体験を向上させる。
【０１２４】
本発明の一つの実施例において、カップ本体１０２の中心軸線が、カッター１０６の軸線と重なっており、カッターヘッド１０４の中心軸線との間に、偏心距離Ｌ３があることが好ましい。
【０１２５】
この実施例において、図８に示すように、カップ本体ベース円の円心ＯＣを通るカップ本体１０２の中心軸線が、カッターの軸線ＯＫを通るカッター１０６の軸線と重なっており、カッターヘッドベース円の円心ＯＰを通るカッターヘッド１０４の中心軸線との間に、偏心距離Ｌ３がある。即ちカップ本体１０２がカッター１０６と同軸であり、カッターヘッド１０４との間に、偏心距離Ｌ３を有する。この偏心構造を採用することによって、攪拌のスワール効果を改善し、カッター１０６が食物を粉砕することに有利であり、さらに攪拌性能を向上させ、食物の食感が良く、ユーザー体験を向上させる。
【０１２６】
本発明の一つの実施例において、カップ本体１０２の中心軸線と、カッターヘッド１０４の中心軸線との間に、偏心距離Ｌ４があり、カッターヘッド１０４の中心軸線と、カッター１０６の軸線との間に、偏心距離Ｌ５があり、カップ本体１０２の中心軸線と、カッター１０６の軸線との間に、偏心距離Ｌ６があることが好ましい。
【０１２７】
この実施例において、図９に示すように、カップ本体ベース円の円心ＯＣを通るカップ本体１０２の中心軸線、カッターの軸線ＯＫを通るカッター１０６の軸線、及びカッターヘッドベース円の円心ＯＰを通るカッターヘッド１０４の中心軸線の間に、いずれも偏心距離があり、この偏心構造を採用することによって、攪拌のスワール効果を更に改善し、カッター１０６が食物を粉砕することに有利であり、さらに攪拌性能を向上させ、食物の食感が良く、ユーザー体験を向上させる。具体的な実施例において、カップ本体の中心軸線、カッターの中心軸線及びカッターヘッドの中心軸線が非直線又は非平行である時に、各中心軸線間の距離とは、各中心軸線と任意の同一横断面との交点間の距離を表す。
【０１２８】
本発明の一つの実施例において、偏心距離Ｌ１、偏心距離Ｌ２、偏心距離Ｌ３、偏心距離Ｌ４、偏心距離Ｌ５及び偏心距離Ｌ６のとる値の範囲は、それぞれ、０ｍｍ≦Ｌ１≦５０ｍｍ、０ｍｍ≦Ｌ２≦５０ｍｍ、０ｍｍ≦Ｌ３≦５０ｍｍ、０ｍｍ≦Ｌ４≦５０ｍｍ、０ｍｍ≦Ｌ５≦５０ｍｍ、０ｍｍ≦Ｌ６≦５０ｍｍであることが好ましい。
【０１２９】
本発明の一つの実施例において、カップ本体の同一輪郭線における異なる点から、カップ本体ベース円の円心までの距離が同じであり、カッターヘッドの同一輪郭線における異なる点から、カッターヘッドベース円の円心までの距離が同じであることが好ましい。
【０１３０】
この実施例において、カップ本体の同一の輪郭線１１０における異なる点から、前記カップ本体ベース円１０８の円心までの距離が同じであり、即ちカップ本体の輪郭線１１０が偏心しなく、且つカッターヘッドの同一輪郭線における異なる点から、前記カッターヘッドベース円の円心までの距離が同じであり、即ちカッターヘッド輪郭線が偏心しない。同時に、カップ本体輪郭とカッターヘッド輪郭が共に偏心しない場合において、一態様においては、カッターヘッドの中心軸線がカップ本体の中心軸線と重なっており、一態様においては、カッターヘッドの中心軸線がカップ本体の中心軸線と重なっておらず、即ちカッターヘッドの中心軸線がカップ本体の中心軸線に対して偏心する。偏心技術を採用した食物調理器１によって食物攪拌を行うことで、攪拌のスワール効果を改善し、カッター１０６が食物を粉砕することに有利であり、さらに攪拌性能を向上させ、食物の食感が良く、ユーザー体験を向上させる。
【０１３１】
本発明の一つの実施例において、輪郭線における異なる点からベース円の円心までの距離から、ベース円半径をマイナスした絶対値である輪郭偏心距離を更に含み、カッターヘッドの輪郭偏心距離はＬ７であることが好ましい。
【０１３２】
この実施例において、カッターヘッドの輪郭偏心距離はＬ７であり、カップ本体１０２輪郭は偏心しない。偏心構造によってスポイラー効果を改善し、さらに破砕性能を向上させる。
【０１３３】
本発明の一つの実施例において、カッターヘッドの輪郭偏心距離Ｌ７のとる値の範囲は０ｍｍ≦Ｌ７≦１００ｍｍであることが好ましい。
【０１３４】
この実施例において、カッターヘッドの輪郭偏心距離のとる値を合理的に設置することによって、最適なスポイラー効果を実現して、さらに破砕効果を向上させる。
【０１３５】
本発明の一つの実施例において、カッターヘッド１０４の横断面は凸円形であることが好ましい。
【０１３６】
この実施例において、カッターヘッド１０４の横断面は凸円形である。不規則な曲線で偏心を作ることによって、カップ本体１０２のスポイラー効果を改善し、カッター１０６が食物を粉砕することに有利であり、さらに攪拌性能を向上させる。更に、本発明において、凸円形は楕円であることが好ましい。具体的な実施例において、カッターヘッド１０４の横断面は楕円であり、このような構造のカップ本体１０２が加工し易く、同時にカッターヘッド１０４の中心軸、カッター１０６の中心軸及びカップ本体１０２の中心軸を、それぞれ楕円の二つの焦点に配置して、偏心を形成することで、構造が簡単で、操作し易く、且つカップ本体１０２のスポイラー効果を更に改善し、カッター１０６が食物を粉砕することに有利であり、さらに攪拌性能を向上させる。具体的な実施例において、一態様として、楕円は二つ焦点Ｆ１とＦ２とを有し、カッターヘッド１０４の中心軸と、カッター１０６の中心軸とは、楕円の二つの焦点Ｆ１とＦ２のうちの一つに同軸に配置され、カップ本体１０２の中心軸は、楕円の二つの焦点Ｆ１とＦ２のうちのもう一つに配置される。一態様として、カッターヘッド１０４の中心軸とカッター１０６の中心軸とが、同軸ではなく、それぞれ楕円の二つの焦点Ｆ１とＦ２のうちの一つに位置し、カップ本体１０２の中心軸はカッターヘッド１０４の中心軸とカッター１０６の中心軸のうちの一方と同軸とする。一態様として、カッターヘッド１０４の中心軸とカッター１０６の中心軸とが、同軸ではなく、それぞれ楕円の二つの焦点Ｆ１とＦ２のうちの一つに位置し、カップ本体１０２の中心軸が、カッターヘッド１０４の中心軸とカッター１０６の中心軸のいずれとも同軸ではなく、カップ本体１０２中心軸が、楕円の二つの焦点Ｆ１とＦ２以外の点に位置する。以上は一部の実施例に過ぎず、本申請の保護範囲はこれに限らず、カップ本体１０２中心軸、カッターヘッド１０４の中心軸、及びカッター１０６の中心軸の配置位置は、最適な効果を実現するように、具体的な状況に応じて実施する。
【０１３７】
本発明の一つの実施例において、カッターヘッド１０４とカップ本体１０２とは一体構造又は別体構造であることが好ましい。
【０１３８】
この実施例において、一態様として、カッターヘッド１０４とカップ本体１０２とは一体構造であるため、安定性が良く、取付し易く、生産効率を向上させる。一態様として、カッターヘッド１０４とカップ本体１０２とは別体構造であるため、取外・メンテナンスし易いが、カッターヘッド１０４とカップ本体１０２との密封性を保証するために、カッターヘッド１０４とカップ本体１０２との間にリングシールが設けられることが好ましい。
【０１３９】
本発明の一実施例において、食物調理器は、ブレンダー、ミキサー、ジューサーを含むことが好ましい。
【０１４０】
この実施例において、偏心攪拌機能を備える食物調理器は、ブレンダー、ミキサー、ジューサー、豆乳マシンなどを含み、偏心設計によって、スワール効果を改善して、攪拌性能を向上させ、食物の食感が良く、ユーザー体験を向上させる。
【０１４１】
図１０及び図１１に示すように、本発明で提供する食物調理器の具体的な実施例に係るブレンダーは、主に、カップ本体部品、攪拌カッター１０６、カッターヘッド１０４、及び攪拌カップ台１１４を含み、攪拌カッターがカッターヘッド１０４上に設けられ、カップ本体部品とカッターヘッド１０４とが連結され、カプラー１３４が攪拌カップ台１１４上に設けられる。カップ本体部品は、攪拌カップ本体１０２と、攪拌カップ本体の上に位置するカップ蓋１１６と、を含み、カップ蓋１１６には、投入口１１８が設けられ、投入口１１８には、投入口カバー１２０が設けられ、カップ蓋１１６と攪拌カップ本体１０２との間にカップ蓋リングシール１２８が設けられ、攪拌カップ本体１０２とカッターヘッド１０４とが別体構造であるとき、攪拌カップ本体１０２とカッターヘッド１０４との間に、攪拌カップリングシール１３０とカッターヘッドリングシール１３２とが設けられる。カッターヘッドが偏心しているか、又は、カップ本体の軸線と、カッターヘッドの軸線と、カッターの軸線とが相対的に偏心する構造を採用することによって、食物のスポイラー効果が有効的に改善でき、食物の食感が良く、ユーザーの使用満足度を向上させる。
【０１４２】
本明細書の説明において、明確且つ具体的な限定がない限り、用語である「複数の」は、二つ又は二つ以上である。限定又は説明がない限り、「取付け」、「連結」、「接続」、「固定」などの用語の意味は広く理解されるべきであり、例えば、「接続」は固定接続であっても、取り卸し可能な接続であっても、又は一体的に接続であってもよく、「連結」は直接的に連結することや、中間媒体を介して間接的に連結することも可能である。当業者にとって、具体的な状況に応じて上記用語の本発明中の具体的な意味を利用することができる。
【０１４３】
明細書の記載において、「一実施例」、「一部の実施例」、「具体的な実施例」等の説明は、当該実施例又は例示的に説明した具体的な特徴、構造、材料又は特点が本発明の少なくとも一実施例又は実例に含まれることを意味する。本明細書において、上記用語の説明は同一の実施例又は実例を意味するものではない。そして、説明した具体的な特徴、構造、材料又は特点はいずれかの一つ又は複数の実施例又は実例で適切な方式で結合することができる。
【０１４４】
以上は、本発明の好適な実施例に過ぎず、本発明を限定するものではない。当業者であれば本発明に様々な修正や変形が可能である。本発明の精神や原則内での全ての修正、置換、改良などは本発明の保護範囲内に含まれる。
【符号の説明】
【０１４５】
ここで、図１ないし図１１における符号と部品名称との対応関係は以下のとおりである。
１  食物調理器
１０２  カップ本体
１０４  カッターヘッド
１０６  カッター
１０８  カップ本体ベース円
１１０  カップ本体輪郭線
１１０２  外輪郭線
１１０４  内輪郭線
１１２  スポイラーリブ
１１４  カップ台
１１６  カップ蓋
１１８  投入口
１２０  投入口カバー
１２２  第１のナイフブレード
１２４  第２のナイフブレード
１２６  ブレード
１２８  カップ蓋リングシール
１３０  撹拌カップリングシール
１３２  カッターヘッドリングシール
１３４  カプラー
【図１】
2019528932.tif 000003
【図２】
2019528932.tif 000004
【図３】
2019528932.tif 000005
【図４】
2019528932.tif 000006
【図５】
2019528932.tif 000007
【図６】
2019528932.tif 000008
【図７】
2019528932.tif 000009
【図８】
2019528932.tif 000010
【図９】
2019528932.tif 000011
【図１０】
2019528932.tif 000012
【図１１】
2019528932.tif 000013
【国際調査報告】
2019528932.tif 000014
2019528932.tif 000015
2019528932.tif 000016
2019528932.tif 000017